(57)【要約】【課題】直流電源から駆動電流を得る全ランプの照明状態をワンツースイッチ操作によって一括で変え、直流電源が一括スイッチでオフされた時に全ランプを同時に消灯させる照明制御システムを提供する。【解決手段】照明制御システム１００は、駆動電流を供給するＤＣ１００Ｖの直流電源５０と、ランプＬｋと接続されており、直流電源５０から供給される駆動電流をランプＬｋに中継する複数の照明制御装置ｋ（ｋ＝1、２、・・・、ｎ）と、複数の照明制御装置ｋのそれぞれと直流電源５０とを結ぶ電路のオンオフを切り替える一括スイッチＳＷ１とを備える。また、各照明制御装置ｋは、ランプＬ１に供給される駆動電流をオンオフするＦＥＴＱ１と、ＣＰＵ１０とを備える。そして、ＣＰＵ１０は、ワンツースイッチ操作による停電時間ｔに応じてＦＥＴＱ１をオン状態またはオフ状態にする。これにより、全ランプＬｋの照明状態を一括で変える。【選択図】図１
2010153083.tif 000002
【特許請求の範囲】
【請求項１】
直流電源と、
ランプに接続されている照明制御装置であって、前記直流電源から前記ランプに供給される駆動電流を制御する複数の照明制御装置と、
前記複数の照明制御装置のそれぞれと前記直流電源とを結ぶ電路のオンオフを切り替える一括スイッチと、を備えた照明制御システムであって、
前記複数の照明制御装置のそれぞれは、
前記ランプに供給される駆動電流をオンオフするスイッチ素子と、
前記直流電源から前記一括スイッチを介して入力される入力電圧を監視し、該入力電圧に基づいて前記一括スイッチによる前記直流電源のオフ時間を計測する制御回路と、
前記スイッチ素子のオンオフの切り替えを受け付ける専用スイッチと、を有し、
前記制御回路は、前記専用スイッチによってオン状態またはオフ状態にある前記スイッチ素子を、前記一括スイッチによる前記直流電源のオフ時間に応じてオン状態またはオフ状態にすることを特徴とする照明制御システム。
【請求項２】
前記制御回路は、
前記直流電源のオフ時間が第一時間から第二時間以内である場合、前記スイッチ素子をオン状態にし、
前記直流電源のオフ時間が前記第二時間より長い場合、前記スイッチ素子をオフ状態にし、前記一括スイッチが再度オンされても前記スイッチ素子をオフ状態に維持することを特徴とする請求項１に記載の照明制御システム。
【請求項３】
前記制御回路は、
前記直流電源のオフ時間が第一時間から第二時間以内となる前記一括スイッチの操作を行った回数をカウントし、
その回数が一定時間以内に所定回数以上になったとき、前記スイッチ素子をオン状態にしてから、前記専用スイッチによる前記スイッチ素子のオンオフの切り替えを禁止することを特徴とする請求項１又は２に記載の照明制御システム。
【発明の詳細な説明】
【技術分野】
【０００１】
この発明は、一括スイッチの操作によって複数のランプを一括で点灯させたり消灯させたりする照明制御システムに関する。
【背景技術】
【０００２】
従来から、一つの照明装置が設置された部屋の壁にスイッチを設け、商用の交流電源から一つの照明装置に供給される駆動電流を該スイッチでオンオフする照明制御システムが広く一般に普及している。
この照明制御システムにおいてユーザは、スイッチを操作して、一つの照明装置を点灯又は消灯させたり負荷状態のモードを変化させたりしていた。
なお、特許文献１において、交流の商用電源と照明装置の間に設けられた専用の電源スイッチに対するワンツースイッチ操作によって負荷状態のモードを変化させる照明制御システムが示されている。
【特許文献１】特開平９−２２３５８４
【発明の開示】
【発明が解決しようとする課題】
【０００３】
しかしながら、従来の照明制御システムでは、複数台の照明装置を一括スイッチで一斉に点灯又は消灯させることは想定されておらず、仮に複数台の照明装置における負荷状態のモードを一括スイッチに対するワンツースイッチ操作で変化させたとしても、次のような問題が生じる。即ち、各照明装置間において一括スイッチのオフ時間の計測にバラツキが生じ、全照明装置の内の数台がモード変化しても残りの照明装置はモード変化しないことがある。
【０００４】
この発明の目的は、直流電源から駆動電流を得る全ランプの照明状態をワンツースイッチ操作によって一括で変える照明制御システムを提供することにある。
【課題を解決するための手段】
【０００５】
本発明の照明制御システムは、前記課題を解決するために以下の構成を備えている。
【０００６】
（１）直流電源と、
ランプに接続されている照明制御装置であって、前記直流電源から前記ランプに供給される駆動電流を制御する複数の照明制御装置と、
前記複数の照明制御装置のそれぞれと前記直流電源とを結ぶ電路のオンオフを切り替える一括スイッチと、を備えた照明制御システムであって、
前記複数の照明制御装置のそれぞれは、
前記ランプに供給される駆動電流をオンオフするスイッチ素子と、
前記直流電源から前記一括スイッチを介して入力される入力電圧を監視し、該入力電圧に基づいて前記一括スイッチによる前記直流電源のオフ時間を計測する制御回路と、
前記スイッチ素子のオンオフの切り替えを受け付ける専用スイッチと、を有し、
前記制御回路は、前記専用スイッチによってオン状態またはオフ状態にある前記スイッチ素子を、前記一括スイッチによる前記直流電源のオフ時間に応じてオン状態またはオフ状態にすることを特徴とする。
【０００７】
この構成では、ユーザが一括スイッチに対してワンツースイッチ操作を行う場面を想定している。ワンツースイッチ操作とは、直流電源を一括スイッチでオフし、指定時間内に直流電源を一括スイッチで再びオンする操作である。また、スイッチ素子は、例えばトランジスタで構成される。ランプは、例えばＬＥＤ、ＤＣ―ＤＣコンバータ内蔵の蛍光灯、又は電球で構成される。
【０００８】
この構成において、ユーザが直流電源を一括スイッチでオフすると、入力電圧が低下する。この時、複数の照明制御装置のそれぞれが有する制御回路は、直流電源のオフ時間の計測を開始する。そして、ユーザが直流電源を一括スイッチで再びオンすると、入力電圧が元に戻る。この時までにかかった直流電源のオフ時間に応じて、複数の照明制御装置のそれぞれが有する制御回路は、スイッチ素子をオン状態またはオフ状態にする。このオフ時間の計測にはＣＰＵ等で構成される制御回路を用いて、各照明制御装置間の検知バラツキを抑えている。そのため、複数の照明制御装置のそれぞれに接続されているランプが、一斉に点灯または消灯する。
【０００９】
以上より、直流電源から駆動電流を得る全ランプの照明状態をワンツースイッチ操作によって一括で変えることができる。
また、ユーザは専用スイッチを操作することで自分の席のランプの照明状態を所望の状態に変更することができる。さらに、各ランプの照明状態がそれぞれで異なっていても、全ランプの照明状態をワンツースイッチ操作によって一括で同じ照明状態に変えることができる。
【００１０】
（２）前記制御回路は、
前記直流電源のオフ時間が第一時間から第二時間以内である場合、前記スイッチ素子をオン状態にし、
前記直流電源のオフ時間が前記第二時間より長い場合、前記スイッチ素子をオフ状態にし、前記一括スイッチが再度オンされても前記スイッチ素子をオフ状態に維持することを特徴とする。
【００１１】
この構成では、直流電源のオフ時間に応じたスイッチ素子の状態を明示している。
この構成において、直流電源のオフ時間が第一時間から第二時間以内である場合、スイッチ素子はオン状態、即ち全ランプは点灯状態となる。
一方、直流電源のオフ時間が第二時間より長い場合、スイッチ素子はオフ状態、即ち全ランプは消灯状態となる。
【００１２】
（３）前記制御回路は、
前記直流電源のオフ時間が第一時間から第二時間以内となる前記一括スイッチの操作を行った回数をカウントし、
その回数が一定時間以内に所定回数以上になったとき、前記スイッチ素子をオン状態にしてから、前記専用スイッチによる前記スイッチ素子のオンオフの切り替えを禁止することを特徴とする。
【００１３】
この構成では、ワンツースイッチ操作が所定回数連続で行われる場面を想定している。所定回数は、例えば２回である。
この構成において、専用スイッチによるスイッチ素子のオンオフの切り替えが制御回路によって禁止されると、専用スイッチのいずれかが操作されても、各ランプの照明状態は変わらなくなる。
これにより、例えば、電車や飛行機やオフィスなどにおいて非常事態が発生した場面において、複数の専用スイッチのいずれかが不用意に操作されても、ランプが消灯しなくなる。これにより、非常時に全ランプを点灯状態に維持できるため、人を出口に安全に誘導することができる。
【発明の効果】
【００１４】
この発明によれは、直流電源から駆動電流を得る全ランプの照明状態をワンツースイッチ操作によって一括且つ同時に変えることができる。
【発明を実施するための最良の形態】
【００１５】
以下、本発明の実施形態である照明制御システムについて説明する。
【００１６】
図１は、本発明の実施形態である照明制御システムのシステム構成図である。照明制御システム１００は、駆動電流を供給するＤＣ１００Ｖの直流電源５０と、ランプＬｋ（ｋ＝1、２、・・・、ｎ）の照明状態を制御する複数の照明制御装置ｋ（ｋ＝1、２、・・・、ｎ）と、複数の照明制御装置ｋのそれぞれと直流電源５０とを結ぶ電路のオンオフを切り替える一括スイッチＳＷ１と、を備える。照明制御システム１００においてランプＬｋは、例えば、電車の各車両にある各座席、オフィス内の各机の上、飛行機の各座席などに照明用として設置される。ランプＬｋは、例えばＤＣ―ＤＣコンバータ内蔵の蛍光灯、又はＬＥＤアレイで構成される。また、一括スイッチＳＷ１は、例えば、電車であれば先頭車両の壁、オフィスであればランプＬｋが設置された部屋の壁、飛行機であれば搭乗口周辺の壁、に取り付けられる。この照明制御システム１００により、このシステムの管理者（清掃員など）は、一括スイッチＳＷ１を操作して、全ランプＬｋ（ｋ＝1〜ｎ）を一括で点灯させたり消灯させたりする。また、管理者は、直流電源５０から駆動電流を得る複数のランプＬｋの照明状態を一括スイッチＳＷ１のワンツースイッチ操作によって一括で変える。
【００１７】
複数の照明制御装置ｋのそれぞれは、ランプＬｋと接続されており、直流電源５０から供給される駆動電流をランプＬｋに中継する。また、複数の照明制御装置ｋのそれぞれには、ランプＬｋの点灯状態と消灯状態との切り替えを受け付ける専用スイッチＳＷｋ+１（ｋ＝1、２、・・・、ｎ）が設けられている。
【００１８】
ここで、図１に示す各照明制御装置ｋは同じ構成であるため、全照明制御装置ｋを代表して照明制御装置１（即ちｋ＝1の場合）について説明する。図２は、本発明の実施形態である照明制御装置の主要な構成を示す回路図である。
【００１９】
照明制御装置１は、図２に示すように、直流電源５０から一括スイッチＳＷ１を介して入力される１００Ｖの入力電圧を降圧して１８Ｖの電源電圧を生成するＤＣ−ＤＣコンバータ回路１１と、生成された１８Ｖの電源電圧を降圧して５Ｖの電源電圧を生成するシリーズレギュレータＩＣ１２と、生成された５Ｖの電源電圧で駆動するＣＰＵ１０と、ランプＬ１に供給される駆動電流をオンオフするＦＥＴ（電界効果トランジスタ）Ｑ１と、ランプＬ１の点灯状態と消灯状態との切り替えを受け付ける専用スイッチＳＷ２と、を備える。
さらに、照明制御装置１は、一括スイッチＳＷ１のオン時の突入電流を抑えるため、突入防止抵抗Ｒ１を備える。これにより、複数の照明制御装置ｋ（ｋ＝１〜ｎ）を一括スイッチＳＷ１を介して直流電源５０に接続したときにかかる一括スイッチＳＷ１への電気的ストレスを軽減している。また、抵抗Ｒ１の前段には高調波抑圧のためのＬＣＲフィルタ、抵抗Ｒ１の後段には逆流防止用ダイオード、又一括スイッチＳＷ１がオフされてから所定時間、ＣＰＵ１０の電源電圧を保持するための大容量のアルミ電解コンデンサＣ２、が設けられている。
なお、Ｑ１をＦＥＴで構成している理由は電力損失を最小限に抑えるためであり、実施の際はその他の素子で構成しても構わない。
【００２０】
ＣＰＵ１０は、照明制御装置１本体各部の動作を制御する制御回路であり、後述の停電時間ｔを計測する第一タイマー回路（不図示）を内蔵する。
【００２１】
ＤＣ−ＤＣコンバータ回路１１は、照明制御装置１に入力される入力電圧により１００Ｖとなるアルミ電解コンデンサＣ１の両端電圧を１８Ｖの電源電圧に降圧して出力する。その電源電圧は、アルミ電解コンデンサＣ２にて１８Ｖに安定化する。
【００２２】
シリーズレギュレータＩＣ１２は、アルミ電解コンデンサＣ２の両端電圧を５Ｖの電源電圧に降圧して出力する。この電源電圧は、アルミ電解コンデンサＣ３にて５Ｖに安定化する。そして、この５Ｖの電源電圧は、ＣＰＵ１０に入力される。
【００２３】
また、照明制御装置１に入力される入力電圧は、抵抗Ｒ２と抵抗Ｒ３で抵抗分圧され、その抵抗分圧がＣＰＵ１０のアナログポートＡ１に入力される。これにより、ＣＰＵ１０は、照明制御装置１に入力される入力電圧を監視する。
【００２４】
なお、抵抗分圧値と入力電圧値との対応関係は予め調節しておく。この実施形態では、入力電圧値５０Ｖ以下が抵抗分圧値１．１９Ｖ以下に対応し、入力電圧値６０Ｖ以上が抵抗分圧値１．４３Ｖ以上に対応する。
【００２５】
ＣＰＵ１０は、ディジタルポートＤ１からＦＥＴＱ１のゲートに電圧を印加してＦＥＴＱ１をオン状態にしたり、その電圧の印加を停止してＦＥＴＱ１をオフ状態にしたりする。詳述すると、ＦＥＴＱ１は、ＣＰＵ１０がディジタルポートＤ１からトランジスタＱ３をオンしてトランジスタＱ２をオンすることで、オン状態となる。
【００２６】
専用スイッチＳＷ２は、ＦＥＴＱ１のオンオフの切り替えを受け付けるスイッチである。ＣＰＵ１０は、専用スイッチＳＷ２が押下されると、ディジタルポートＤ２の立下りを検出し、チャタリング防止処理を行う。その後、ＣＰＵ１０は、専用スイッチＳＷ２がＬｏｗになったことを認識し、ＦＥＴＱ１のスイッチ状態を反転させる。ここで、各専用スイッチＳＷｋ+１（ｋ＝1、２、・・・、ｎ）は、例えば、電車の各車両にある各座席、オフィス内の各机、飛行機の各座席に、設置される。そして、電車の各車両にある各座席に座る乗客、オフィス内の各机に座る社員、又は飛行機の各座席に座る乗客が、自分の席の専用スイッチＳＷｋ+１（ｋ＝1、２、・・・、ｎ）を操作する。そのため、各ランプＬｋの照明状態は、同じ添字ｋの専用スイッチＳＷｋ+１が操作されることによって変わる。
【００２７】
図３は、本発明の実施形態である照明制御装置のＣＰＵが行う動作を示すフローチャートである。この動作では、管理者が一括スイッチＳＷ１に対してワンツースイッチ操作を行う場面を想定している。ワンツースイッチ操作とは、一括スイッチＳＷ１をオフし、指定時間内に一括スイッチＳＷ１を再びオンする操作である。また、０．２秒が本願発明の「第一時間」に相当し、１．０秒が本願発明の「第二時間」に相当する。
【００２８】
一括スイッチＳＷ１がオンされると、ＣＰＵ１０は、アナログポートＡ１に入力される抵抗分圧の値から、入力電圧がＤＣ５０Ｖ以下であるかどうか判定する（Ｓ１）。入力電圧がＤＣ５０Ｖより高い場合、ＣＰＵ１０は、通電状態にあると認識し（Ｓ１１）、ＦＥＴＱ１のオン又はオフ状態を維持する（Ｓ１２）。これにより、ランプＬ１の照明状態は変化しない。そして、専用スイッチＳＷ２が切り替わったと判定すると（Ｓ１３）、ＣＰＵ１０は、ＦＥＴＱ１のスイッチ状態を反転し（即ちオン状態からオフ状態へ、又はオフ状態からオン状態へ）、ランプＬ１の照明状態を変える（Ｓ１４）。一方、専用スイッチＳＷ２が切り替わっていないと判定すると（Ｓ１３）、ＣＰＵ１０は、ＦＥＴＱ１のスイッチ状態を維持する（Ｓ１５）。そして、Ｓ１４又はＳ１５の後、ＣＰＵ１０はＳ１に戻る。このようにして、各ランプＬｋの照明状態は、同じ添字ｋの専用スイッチＳＷｋ+１が操作されることによって変わる。
【００２９】
ここで、一括スイッチＳＷ１の操作タイミングによる各ランプの照明状態の変化について図４を用いて説明する。図４は、一括スイッチＳＷ１の操作タイミングによる３つのランプＬ１、Ｌ２、Ｌ３の照明状態の変化の一例を示す図である。
【００３０】
まず、一括スイッチＳＷ１がオフされる直前における各ランプＬ１、Ｌ２、Ｌ３の照明状態が図４（Ａ）に示す状態であったとする。この状態でユーザが一括スイッチＳＷ１をオフすると、入力電圧はＤＣ５０Ｖ以下となってアナログポートＡ１に入力される抵抗分圧値が１．１９Ｖ以下になる。
【００３１】
これにより、ＣＰＵ１０は、Ｓ１の判定肯定の停電状態になったと認識し（Ｓ２）、第一タイマー回路において停電時間ｔの計測を開始する（Ｓ３）。そして、管理者が直流電源５０を一括スイッチＳＷ１で再びオンすると、入力電圧はＤＣ６０Ｖ以上に上がり、通電状態となる。ＣＰＵ１０は、この停電時間ｔに応じて、図４（Ｂ１）（Ｃ１）（Ｃ２）に示すように、ＦＥＴＱ１をオン状態またはオフ状態にする。
なお、一括スイッチＳＷ１がオフされても電解コンデンサＣ１、Ｃ２、Ｃ３には電荷が残るため、ＣＰＵ１０は一括スイッチＳＷ１のオフ後もしばらくの間駆動できる。この駆動を達成するため、この実施形態では大容量の電解コンデンサＣ２（２２００μＦ）を設けている。
【００３２】
ＣＰＵ１０は、０．２秒以内にＤＣ６０Ｖ以上になったかどうか判定する（Ｓ４）。０．２秒以内にＤＣ６０Ｖ以上になったと判定すると、ＣＰＵ１０は、ランプＬ１の照明状態を変化させず、即ちＦＥＴＱ１のオン又はオフ状態を維持し（Ｓ５）、Ｓ１３に進む。これにより、各ランプＬ１、Ｌ２、Ｌ３の照明状態は図４（Ｂ１）に示す状態となる。
【００３３】
一方、０．２秒以内にＤＣ６０Ｖ以上にならなかったと判定すると、ＣＰＵ１０は、ＦＥＴＱ１をオフ状態にして（Ｓ６）、ランプＬ１を消灯状態にする。ここで、各ランプＬ１、Ｌ２、Ｌ３の照明状態は図４（Ｂ２）に示す全消灯状態となる。０．２秒経過後から消灯状態にさせている理由は、ＦＥＴＱ１をオン状態にするドライブ回路の消費電流を抑えて、一括スイッチＳＷ１のオフ期間におけるＣＰＵ１０の電源電圧を確保するためである。
【００３４】
そして、０．２秒が過ぎると、ＣＰＵ１０は、１秒以内にＤＣ６０Ｖ以上になったかどうか判定する（Ｓ７）。１秒以内にＤＣ６０Ｖ以上になったと判定すると、ＣＰＵ１０は、ＦＥＴＱ１をオン状態にして（Ｓ８）、ランプＬ１を点灯状態にする。ここで、各ランプＬ１、Ｌ２、Ｌ３の照明状態は図４（Ｂ２）に示す状態から図４（Ｃ１）に示す全点灯状態となる。また、Ｓ８の後、ＣＰＵ１０はＳ１３に進む。
【００３５】
一方、１秒以内にＤＣ６０Ｖ以上にならなかったと判定すると、ＣＰＵ１０は、ＦＥＴＱ１のオフ状態を維持する（Ｓ９）。
【００３６】
そして、１秒経過後、ＣＰＵ１０は、入力電圧がＤＣ６０Ｖ以上であるかどうか判定する（Ｓ１０）。図４（Ｂ２）に示す全消灯状態で一括スイッチＳＷ１が１秒経過後にオンされると、入力電圧はＤＣ６０Ｖ以上となってアナログポートＡ１に入力される抵抗分圧値が１．４３Ｖ以上になる。
【００３７】
これにより、ＣＰＵ１０は、Ｓ１０の判定肯定の通電状態になったと認識する（Ｓ１１）。そして、ＣＰＵ１０は、ＦＥＴＱ１のオン又はオフ状態を維持し（Ｓ１２）、ランプＬ１の照明状態を変化させない。そのため、各ランプＬ１、Ｌ２、Ｌ３の照明状態は、図４（Ｂ２）に示す全消灯状態から変わらず、図４（Ｃ２）に示す全消灯状態のままである。この後、ＣＰＵ１０は、上述したＳ１１からＳ１５の動作を行う。
なお、Ｓ１２とＳ１３の間でＣＰＵ１０は第一タイマー回路のタイマーをリセットするが、図３では図示を省略している。
【００３８】
以上より、直流電源５０から駆動電流を得る全ランプＬｋ（ｋ＝1〜ｎ）の照明状態をワンツースイッチ操作によって一括で変えることができる（図４（Ｃ１）（Ｃ２）参照）。
【００３９】
また、ユーザは専用スイッチＳＷｋ+１（ｋ＝1、２、・・・、ｎ）を操作することで自分の席のランプＬｋの照明状態を所望の状態に変更することができる（図４（Ａ）参照）。さらに、図４（Ａ）に示すように各ランプＬｋの照明状態がそれぞれで異なっていても、全ランプＬｋ（ｋ＝1〜ｎ）の照明状態をワンツースイッチ操作によって一括で同じ照明状態に変えることができる（図４（Ｃ１）（Ｃ２）参照）。
【００４０】
また、本発明の実施形態は、以下の変形例を採用することができる。
【００４１】
図２に示すＣＰＵ１０は、さらに、カウント数をカウントするカウンタ（不図示）と、後述の２秒を判定するために時間を計測する第二タイマー回路（不図示）とを内蔵する。
【００４２】
図５は、本発明の実施形態の変形例である照明制御装置のＣＰＵが行う動作を示すフローチャートである。この動作は、図３の動作にＳ１０１〜Ｓ１０６を追加した動作でありその他の処理（Ｓ１〜Ｓ１５）については同じである。また、この動作では、管理者が非常時にワンツースイッチ操作を２回連続で行う場面を想定している。
【００４３】
ＣＰＵ１０は、Ｓ３の後、第二タイマー回路において時間の計測を開始する（Ｓ１０１）。
【００４４】
そして、Ｓ７において１秒以内にＤＣ６０Ｖ以上になったと判定すると、ＣＰＵ１０は、カウンタのカウント数を１増加させてから（Ｓ１０２）、ＦＥＴＱ１をオン状態にする（Ｓ８）。ここで、各ランプＬ１、Ｌ２、Ｌ３の照明状態は図４（Ｂ２）に示す状態から図４（Ｃ１）に示す全点灯状態となる。
【００４５】
ＣＰＵ１０は、カウンタのカウント数が２秒以内に所定回数（この実施形態では２回）以上になったかどうか判定する（Ｓ１０３、Ｓ１０４）。カウント数が２秒以内に所定回数以上になっていない場合、ＣＰＵ１０は、第一タイマー回路のタイマーをリセットし（Ｓ１０５）、Ｓ１に戻る。
【００４６】
そして、カウント数が２秒以内に所定回数以上になっている場合、ＣＰＵ１０は、専用スイッチＳＷ２の操作を無効にし（Ｓ１０６）、Ｓ１に戻る。この後、ＣＰＵ１０は、専用スイッチＳＷ２の操作が行われても無視し、ＦＥＴＱ１のオンオフの切り替えを禁止する。そのため、電車や飛行機やオフィスなどにおいて非常事態が発生した場面において、不用意に専用スイッチＳＷｋ+１のいずれかが操作されても、ランプＬｋが消灯しなくなる。これにより、非常時に全ランプＬｋを全点灯状態に維持できるため、人を出口に安全に誘導することができる。
なお、第二タイマー回路のタイマーが２秒を過ぎている場合、ＣＰＵ１０は、第一、第二タイマー回路のタイマーとカウンタをリセットし、Ｓ１３に進む。
【図面の簡単な説明】
【００４７】
【図１】本発明の実施形態である照明制御システムのシステム構成図
【図２】本発明の実施形態である照明制御装置の主要な構成を示す回路図
【図３】本発明の実施形態である照明制御装置のＣＰＵが行う動作を示すフローチャート
【図４】一括スイッチの操作タイミングによる各ランプの照明状態の変化の一例を示す図
【図５】本発明の実施形態の変形例である照明制御装置のＣＰＵが行う動作を示すフローチャート
【符号の説明】
【００４８】
１、２、３、・・・、ｎ…照明制御装置
１０…ＣＰＵ
１１…ＤＣ−ＤＣコンバータ回路
１２…シリーズレギュレータＩＣ
５０…直流電源
１００…照明制御システム
Ｌ１、Ｌ２、Ｌ３、・・・、Ｌｎ…ランプ
ＳＷ１…一括スイッチ
ＳＷ２、ＳＷ３、ＳＷ４、・・・、ＳＷｎ+１…専用スイッチ
【図１】
2010153083.tif 000003
【図２】
2010153083.tif 000004
【図３】
2010153083.tif 000005
【図４】
2010153083.tif 000006
【図５】
2010153083.tif 000007